(57)【要約】    【課題】予め定められた上限入賞数を超えて入賞した余剰入賞に対して賞球が払い出されたことを遊技者に直接的に実感させることのできる遊技機を提供する。    【解決手段】所定の条件が成立したことを契機として、予め定められた上限数の遊技球が入賞するまで若しくは所定時間経過するまで開放状態を維持し、前記上限数の入賞を検知するか若しくは所定時間経過すると閉状態に変化する可変入賞手段と、この可変入賞手段に対して、前記上限数の遊技球を超えて入賞がなされたことを検知する余剰入賞検知手段と、この余剰入賞検知手段が検知した余剰入賞数を累計的にカウントするカウント手段と、前記余剰入賞の累計に応じた数の賞球を一括して払い出す一括払出手段とを備える構成とした。【選択図】      図８
2005177291.tif 000002
【特許請求の範囲】
【請求項１】
所定の条件が成立したことを契機として、予め定められた上限数の遊技球が入賞するまで若しくは所定時間経過するまで開放状態を維持し、前記上限数の入賞を検知するか若しくは所定時間経過すると閉状態に変化する可変入賞手段と、
この可変入賞手段に対して、前記上限数の遊技球を超えて入賞がなされたことを検知する余剰入賞検知手段と、
この余剰入賞検知手段が検知した余剰入賞数を累計的にカウントするカウント手段と、
前記余剰入賞の累計に応じた数の賞球を一括して払い出す一括払出手段と、
を備えることを特徴とする遊技機。
【請求項２】
遊技球が始動口へ入賞したことを契機として複数の識別情報を可変表示可能な表示手段と、
この表示手段に表示される前記複数の識別情報の表示態様が特定の表示態様となった場合に、前記可変入賞手段を実行させる特別遊技実行手段とを備え、
前記余剰入賞の累計に応じた賞球数を一括して払い出す前記一括払出手段の実行は、前記特別遊技実行手段の作動終了後になされることを特徴とする請求項１記載の遊技機。
【請求項３】
前記カウント手段によりカウントされた余剰入賞数を表示する余剰入賞数表示手段を備えることを特徴とする請求項１又は２に記載の遊技機。
【発明の詳細な説明】
【技術分野】
【０００１】
この発明は遊技機に関し、特に所謂パチンコ遊技機などの弾球遊技機に関するものである。
【背景技術】
【０００２】
従来、遊技機の一種として弾球遊技機があり、その最もポピュラーなものとしてパチンコ遊技機が知られている。
【０００３】
パチンコ遊技機では、遊技盤上に発射された遊技球が所定の入賞口に入球して入賞すると、所定数の入賞球が遊技者に払い出されるが、前記入賞口の中には、「電動チューリップ」と呼ばれる開閉動作する一対の可動片を備えた特別入賞口が設定される場合がある。前記可動片は、例えば入賞口に前記「電動チューリップ」が閉状態のときに入賞するなどの所定の条件が成立したことを契機として開状態となり、遊技球が入賞しやすくなるようにガイド可能となる。そして、予め定められた上限数（「電動チューリップ」の場合は通常１個）の遊技球が入賞するまで若しくは所定時間だけ開状態を維持し、前記上限数の入賞を検知するか若しくは所定時間経過すると閉状態に変化する。
【０００４】
一方、近年のパチンコ遊技機では、これも遊技機の１つであるスロットマシンのように図柄からなる識別情報を組み合わせる所謂「可変表示ゲーム」を実行する遊技形態を採用したものが一般的になっている。
【０００５】
パチンコ遊技機における「可変表示ゲーム」では、発射した遊技球が入賞口の一つである始動口へ入賞するとその入賞に基づき当選かハズレかを抽選し、抽選結果に応じて表示手段である液晶表示部上で図柄からなる前記識別情報を変動表示及び停止表示させる。そして、抽選結果が当選となって識別情報が予め定められた特定組合せで停止表示された場合には、入賞口の一種である大入賞口の開閉動作を所定回数（例えば１５回であり、大入賞口の開状態から閉状態に至るまでの一回の遊技を「１ラウンド」とも呼ぶ。）繰り返して、遊技者に有利な状態である所謂「特別遊技状態」を発生させるようにしている。
【０００６】
この大入賞口は一旦開状態になると、前記「電動チューリップ」の可動片同様、予め定められた上限数の遊技球が入賞するまで（例えば１０個）若しくは所定時間（例えば２９秒）だけ開状態を維持し、前記上限数の入賞をセンサで検知するか若しくは所定時間経過すると閉状態に変化する。また、この大入賞口内は特定領域と一般領域とに区画されており、特定領域内に入賞すると、大入賞口が閉鎖された後再度開放することが約束される。
【０００７】
このような大入賞口や、前記可動片を備えた特別入賞口などのような可動入賞手段を備えているパチンコ遊技機では、前記所定時間内において、前記上限数の入賞を超えて入賞する場合がある（この上限数を超えて遊技球が入賞することを余剰入賞と呼ぶ）。特に前記大入賞口は遊技盤の最下方位置に設けられることが多く、また、上限数が多い上に所定の開放時間が長いために、遊技球の集まりが良い遊技機であればセンサが上限数を検知するまでの間に一挙に余剰入賞することがある。
【０００８】
当然ながら余剰入賞１個あたりに所定の入賞球を獲得できることから、遊技者にとってはかかる余剰入賞の発生は好ましいものであり、遊技者によっては余剰入賞を狙って上限数に達する直前に大入賞口へ遊技球を集めるように努めている。
【０００９】
しかし、余剰入賞数については表示されることがない上に、かかる余剰入賞に対する賞球の払い出しは、上限数までの入賞に対する払い出しに連続して行われるために、余剰入賞が発生したことを目視で確認してもそれが正確かどうかを判断できず、発生した余剰入賞に対してなされた賞球の払い出しを実感することも困難であった。
【００１０】
そこで、余剰入賞を実感させるために、余剰入賞に応じて遊技者に対して利益を享受させるものが提案されている。これは、前記可動入賞手段への入賞を入賞検出手段によりカウントした結果が４０を超えると、前記「特別遊技状態」のラウンド数を追加するものである（例えば特開２００１−１３７４５５号公報を参照。）。
【特許文献１】特開２００１−１３７４５５号公報
【発明の開示】
【発明が解決しようとする課題】
【００１１】
ところが、従来の遊技機では、未だ下記の課題が残されていた。
【００１２】
すなわち、上記特許文献１の遊技機では、上述したようにラウンド数が追加されるなど遊技形態を変化させることで、遊技者は余剰入賞が発生したことを知ることはできるのではあるが、依然として、余剰入賞がどれだけ発生したのか、余剰入賞により賞球数がどれだけ増えたのかを実感することはできないものであった。すなわち、パチンコ遊技の基本となる賞球数の変化（増加）を直接的に実感することはできないままであった。
【００１３】
本発明は、上記課題を解決することのできる遊技機を提供することを目的としている。
【課題を解決するための手段】
【００１４】
請求項１記載の本発明では、所定の条件が成立したことを契機として、予め定められた上限数の遊技球が入賞するまで若しくは所定時間経過するまで開放状態を維持し、前記前記上限数の入賞を検知するか若しくは所定時間経過すると閉状態に変化する可変入賞手段と、この可変入賞手段に対して、前記上限数の遊技球を超えて入賞がなされたことを検知する余剰入賞検知手段と、この余剰入賞検知手段が検知した余剰入賞数を累計的にカウントするカウント手段と、前記余剰入賞の累計に応じた数の賞球を一括して払い出す一括払出手段とを備えることとした。
【００１５】
請求項２記載の本発明では、前記遊技球が始動口へ入賞したことを契機として複数の識別情報を可変表示可能な表示手段と、この表示手段に表示される前記複数の識別情報の表示態様が特定の表示態様となった場合に、前記可変入賞手段を実行させる特別遊技実行手段とを備え、前記余剰入賞の累計に応じた賞球数を一括して払い出す前記一括払出手段の実行は、前記特別遊技実行手段の作動終了後になされることとした。
【００１６】
請求項３記載の本発明では、前記カウント手段によりカウントされた余剰入賞数を表示する余剰入賞数表示手段を備えることとした。
【発明の効果】
【００１７】
本発明によれば、例えば、大当たり遊技中に開放と閉鎖とを繰り返す大入賞口などの可変入賞手段に対して、予め設定された上限入賞数を超えて入賞した余剰入賞については、その余剰入賞数応じた賞球が一括して払い出されることになるので、余剰入賞のメリットを直接的に実感することができるとともに、余剰入賞させた自分の遊技技量に対する満足感も充足させることが可能となる。そして、単調になりがちな遊技に技術介入性が生じ、遊技に新たな興趣が付加されて、遊技の面白さを向上させることが可能となる。
【発明を実施するための最良の形態】
【００１８】
本発明は、特にパチンコ遊技機として好適に実施することができ、本実施の形態では、所定の条件が成立したことを契機として、予め定められた上限数の遊技球が入賞するまで若しくは所定時間経過するまで開放状態を維持し、前記上限数の入賞を検知するか若しくは所定時間経過すると閉状態に変化する可変入賞手段と、この可変入賞手段に対して、前記上限数の遊技球を超えて入賞がなされたことを検知する余剰入賞検知手段と、この余剰入賞検知手段が検知した余剰入賞数を累計的にカウントするカウント手段と、前記余剰入賞の累計に応じた数の賞球を一括して払い出す一括払出手段とを備えるパチンコ遊技機としたものである。
【００１９】
すなわち、遊技盤上に発射された遊技球が特定の入賞口に入賞するか、あるいは他の特定入賞口に入賞したことを受けて行われる内部抽選の結果が当選の場合などに、予め定められた上限数の遊技球が入賞するまで若しくは所定時間経過するまで開放状態を維持し、前記上限数の入賞を検知するか若しくは所定時間経過すると閉状態に変化する可変入賞手段を備えた遊技機であって、前記可変入賞手段に対して、前記上限数の遊技球を超えて入賞がなされたことを検知すると、この入賞を余剰入賞として累計的にカウントし、累計結果に応じた数の賞球を後に一括して払い出すようにしたものである。
【００２０】
したがって、遊技者は余剰入賞のメリットを直接的に実感することができるとともに、余剰入賞させた自分の遊技技量に対して満足感を充足させることができる。このように、単調になりがちなパチンコ遊技に技術介入性が生じ、遊技に新たな興趣が付加されて、遊技の面白さを向上させることができる。
【００２１】
前記可変入賞手段としては、例えば、背景技術の欄で説明したような「電動チューリップ」を備える可変入賞装置であってもよいが、近年のパチンコ遊技機の主流である「可変表示ゲーム」を実行する遊技機に用いられる開閉自在に構成された大入賞口を備える可変入賞装置とすることが好ましい。
【００２２】
すなわち、遊技球が特定入賞口として設けられた始動口へ入賞したことを契機として複数の識別情報を可変表示可能な表示手段と、この表示手段に表示される前記複数の識別情報の表示態様が特定の表示態様となった場合に、前記可変入賞手段を実行させる特別遊技実行手段とを備える構成とするものである。
【００２３】
かかる構成において、前記余剰入賞の累計に応じた賞球数を一括して払い出す前記一括払出手段の実行は、前記特別遊技実行手段の作動終了後になされるようにすることが望ましい。
【００２４】
すなわち、特別遊技実行中は各ラウンド内における入賞に対する賞球が次々と払い出されており、どの払い出しが余剰入賞に対するものかを確認しにくい上に、前記大入賞口の構成上、各ラウンドあたりの余剰入賞数自体はさほど多くなることはない。したがって、ラウンド毎に分散して余剰入賞に対する払い出しを行うよりも、全ラウンドの余剰入賞累計数に応じて一括して払い出す方が払い出される球数も多く、遊技者は余剰入賞によって得られるべき正当な対価をより実感できる。
【００２５】
また、より好ましくは、前記カウント手段によりカウントされた余剰入賞数を表示する余剰入賞数表示手段を備えるとよい。
【００２６】
かかる構成により、余剰入賞数を目視によりはっきりと認識できるとともに、余剰入賞１球に対する賞球数は一定なので、全余剰入賞によって得られる賞球総数も遊技者は簡単に計算することができ、数字として実感することができる。
【００２７】
そして、賞球払い出しの際には、先ず累計余剰入賞数を表示し、一回の賞球払い出しごとに表示された余剰入賞累計数を１ずつ減じていくカウントダウン式の表示態様とするとより遊技者にとって分かりやすくなるとともに賞球を得る嬉しさも増す。
【００２８】
本実施の形態に係る上記パチンコ遊技機における実際の遊技態様について簡単に説明する。
【００２９】
遊技者は遊技ハンドルを操作して遊技球を次々と発射させる。
【００３０】
遊技盤上に発射された遊技球が始動口と呼ばれる特定入賞口に入賞すると、前記「可変表示ゲーム」が実行され、複数の識別情報が液晶表示装置などからなる前記表示手段上で可変表示され、これが停止表示されたときの識別情報が所定の組合せとなった場合、大当たり遊技状態となり、大入賞口の開閉が例えば１５ラウンドを限度として開始される。
【００３１】
大入賞口内は、特定領域と一般領域とに区画されており、特定領域内に入賞すると、大入賞口が閉鎖された後再度開放することが約束されている。そこで、遊技者は、先ず特定領域内に遊技球を入賞させて次回ラウンドを確保しながら、所定時間内に上限入賞数を超える余剰入賞が発生することを期待して開放された大入賞口内に遊技球を集めるように努める。
【００３２】
余剰入賞が発生すると、例えば前記液晶表示装置、あるいは特別に設けた表示装置などに余剰入賞数が表示される。遊技者はこの表示数によって、通常の特別遊技状態中よりも賞球が増加することを知り、満足感とともに勝利感を得ることができる。
【００３３】
こうしてラウンドが次々と消化され、各ラウンド中には通常の入賞球数に見合った賞球が連続的に払い出される。
【００３４】
そして、最終のラウンドが終了したとき、前記表示装置にはこれまでの余剰入賞数が累計表示されているが、通常入賞に対する賞球払い出しが終了すると、前記累計表示された数に見合った賞球が一括して払い出される。
【００３５】
ここで、本実施形態における賞球の一括払い出しというのは、余剰入賞１球あたりの賞球数が例えば１０個と定められている場合は、１０個ずつが余剰賞球数と同回数連続的に払い出される形態をとっている。そして、このときに、累計表示された数値は表示が０になるまで１０個の賞球を払い出すたびにカウントダウンされていく。
【００３６】
したがって、一旦通常の大当たり遊技状態が終了して所定の賞球払い出しが終わった後に、まとまった賞球が余剰入賞数に応じて一括して払い出されるので、遊技者は特別遊技状態中に余剰入賞を発生させたことを直接的に実感することができ、喜びも高まるとともに、自身の遊技技量に対する満足感を充足させることができる。
【００３７】
ところで、前記識別情報としては、数字を含む文字、記号、絵柄又は模様等の図柄からなり、これらが複数設けられた複数の識別情報群が表示手段上に変動表示及び停止表示される。そして、かかる識別情報群を変動表示及び停止表示する前記表示手段は、前記液晶表示装置の他、ＣＲＴからなるディスプレイとしてもよい。さらに、本実施の形態における表示手段としては、その他の７セグメント表示器やランプ類、或いはスピーカなどの音声出力装置なども含まれる。また、かかる表示手段は、遊技機内に配設した制御部により制御される。
【００３８】
この制御部には、前記表示手段を制御する他、上述したパチンコ遊技を進めていくためのチンコ遊技プログラムが格納されている。
【００３９】
このパチンコ遊技プログラムは、遊技球が特定の入球口に入球したことを受けて当選かはずれかを所定の抽選確率で抽選する内部抽選実行機能と、この内部抽選実行機能による抽選結果に基づいて、複数の識別情報を変動表示及び停止表示する可変表示ゲームを表示手段上に実行させる可変表示ゲーム実行機能と、可変表示ゲーム実行中に、可変入賞装置としての前記大入賞口を、予め定められた上限数の遊技球が入賞するまで若しくは所定時間経過するまで開放状態を維持し、前記上限数の入賞を検知するか若しくは所定時間経過すると閉状態に変化させる可変入賞装置制御機能と、この可変入賞装置（大入賞口）に対して、前記上限数の遊技球を超えて入賞がなされたことを検知する余剰入賞検知機能と、検知した余剰入賞数を累計的にカウントするカウント機能と、前記余剰入賞の累計に応じた数の賞球を一括して払い出す賞球一括払出機能とをコンピュータに実現するためのプログラムである。
【００４０】
また、上述してきた遊技機としては、必ずしも実際の鋼球からなる遊技球を用いる必要はなく、パチンコ遊技盤を遊技画面として画像表示するディスプレイ上に仮想遊技球を映像として打出し可能な遊技ハンドル（操作部）と、前記したパチンコ遊技プログラムを実行する制御部とを備えた映像パチンコ遊技機であっても構わない。さらに、表示手段としての表示部と制御部とを備えた業務用若しくは家庭用のゲーム機に適用することも可能である。
【００４１】
またさらには、汎用のコンピュータや携帯端末装置等に、上記パチンコ遊技プログラムをはじめ、各種の制御を行うソフトウェアをインストールしたものにも適用できる。この場合、上述してきた遊技盤を含む遊技機画像の表示を実行させることのできる表示プログラムを含む前記パチンコ遊技プログラムを格納した記憶媒体を介して遊技を行うことができる。或いは、インターネットなどを介して前記パチンコ遊技プログラムをダウンロードして遊技することができる。つまり、遊技機としては、サーバと端末機（クライアント）とに分割して構成したものであってもよいし、端末機と通信可能であり、パチンコ遊技機を示す遊技機画像を各端末機に表示可能としたサーバであってもよい。
【００４２】
以下、本発明の実施の形態を、図面に基づいてより具体的に説明する。なお、以下に説明する遊技機は、実際の鋼球からなる遊技球を用いるパチンコ遊技機としている。
【００４３】
（パチンコ遊技機の構成）
図１は本実施の形態に係るパチンコ遊技機１０の正面図を示しており、パチンコ遊技機１０は、矩形枠状の本体枠１２に矩形板状の遊技盤１４を組込み、同遊技盤１４の前面に前記本体枠１２の窓枠１６を設け、さらに、同窓枠１６の下側であって、本体枠１２の前面には上皿２０及び下皿２２を設けるとともに、同下皿２２の右側に発射ハンドル２６を配設している。
【００４４】
また、遊技盤１４の前面には複数の障害釘（図１では入賞口の直上方に設けたものを除いて省略している）を打ち込んでいる。なお、釘を打ち込むような構成とせず、遊技盤１４を樹脂素材で成形し、この樹脂素材の遊技盤１４に棒状体を遊技盤１４の前方向に突出するように一体的に突設する構成としてもよく、かかる構成とした遊技装置（所謂「パチコン機」）にも本発明を適用することができる。
【００４５】
図１中、２０ａは前記上皿２０内の遊技球を下皿２２へ送るバイパス路開閉ボタン、４６はスピーカ、２８は前記発射ハンドル２６の裏側に設けたソレノイド、２６ａは前記ソレノイド２８の一時停止ボタン、２９は前記発射ハンドル２６の周縁部に設けたタッチセンサである。なお、前記ソレノイド２８に代えて発射モータを用いてもよい。
【００４６】
上記構成により、遊技球はガイドレール３０に案内されて遊技盤１４上に発射され、上述した複数の障害釘との衝突によりその進行方向を変えながら遊技盤１４の下方に向かって落下し、後述する各種入賞口に入らなかった遊技球は、遊技盤１４の中央最下部に位置する排出口５３から回収される。
【００４７】
遊技盤１４を拡大した拡大正面図を図２に示す。なお、図２においても図１同様に障害釘の大部分を省略している。
【００４８】
図２に示すように、遊技盤１４の前面の略中央には、表示手段としての液晶パネルからなる表示装置３２を設けており、この表示装置３２上に、それぞれ図柄からなる１０種類の識別情報を有する識別情報群を横３列に表示可能とするとともに、その他様々な演出画像を静止画や動画で表示可能としている。なお、前記識別情報の図柄種類は１０種類に限定されるものではなく、複数種であればよい。そして、この識別情報を変動表示する前記表示装置３２は、遊技者が見得るような位置であればパチンコ遊技機１０の何処の位置に設けても構わない。
【００４９】
５２は小型の副表示装置であり、識別情報の一つである数字や記号等からなる普通図柄を、変動と停止とを繰り返すように可変表示することができる。
【００５０】
表示装置３２の下部には、後述する可変表示ゲームが開始される契機となる特定の入球口としての始動口４４を設けている。５８（５８ａ,５８ｂ）はこの始動口４４に付設した電動チューリップと呼ばれる開閉動作可能な可動片であり、開時には遊技球を前記始動口４４へガイド可能としている。
【００５１】
また、表示装置３２の左右側部には、球通過検出器５５ａ,５５ｂとバイパス通路入口５１ａ,５１ｂとを設けている。そして、前記球通過検出器５５ａ,５５ｂが遊技球の通過を検出したときに前記普通図柄が変動し、所定の図柄で停止表示されると、ソレノイド５７（図３参照）により前記可動片５８（５８ａ,５８ｂ）を駆動し、前記始動口４４に遊技球が入りやすくなるようにしている。他方、前記バイパス通路口５１ａ,５１ｂに遊技球が入ると、バイパス通路５１’，５１’を通過して前記始動口４４の直上方まで遊技球を案内し、始動口４４に遊技球が入りやすくなるようにしている。
【００５２】
上述した副表示装置５２の左右両側には、４つの保留ランプ３４（３４ａ〜３４ｄ）を設けている。
【００５３】
また、前記表示装置３２の左右両側には、遊技球の経路を所定の方向に誘導するための風車状の転動誘導部材６０（６０ａ,６０ｂ）を設けるとともに、遊技盤１４の外側の上左側と上右側とには、装飾ランプ３６（３６ａ，３６ｂ）を設けている。
【００５４】
さらに、遊技盤１４の下部には、後述する大当たり入賞装置Ｍを設けるとともに、遊技盤１４の全域にわたって、複数の一般入賞口５０，５４ａ,５４ｂ及び第２の一般入賞口５６（５６ａ,５６ｂ,５６ｃ,５６ｄ）を設けている。
【００５５】
ここで、前記大当たり入賞装置Ｍについて説明する。
【００５６】
大当たり入賞装置Ｍは、可変入賞手段として設けられており、大入賞口３８が形成された前カバー２００と、後カバー２０１との間に装置各部材が介設されており、後述する可変表示ゲームによって大当たり遊技状態になった場合に、ソレノイド４８の駆動により前後に揺動して前記大入賞口３８を閉鎖状態及び開放状態にするシャッタ４０と、同シャッタ４０の後方に配され、ソレノイド２０５により駆動されて左右に傾動するスイング板２０６とを備えている。
【００５７】
そして、前記シャッタ４０の開放時に、スイング板２０６を介して遊技球が特定領域である特定入球口２０４に入球すると、シャッタ４０は所定時間経過或いは所定数入球後においても次のシャッタ４０の開放が約束され、これが繰り返されることで遊技者にとって有利な大当たり遊技状態を実現するようにしている。
【００５８】
前記シャッタ４０が開放され、予め定められた所定時間（本実施の形態では２９秒とする）経過するか、或いは遊技球が前記大入賞口３８に上限数（本実施の形態では１０個とする）入賞して閉鎖するまでの１サイクルを大当たり遊技状態の１ラウンドとしており、本実施の形態における大当たり遊技状態では、１５ラウンドを上限として繰り返すことができるようにしている。そして、各ラウンドにおいて、前記大入賞口３８に入賞した遊技球数（入賞数）に応じた賞球が逐次払い出される。
【００５９】
賞球の払い出しは、大入賞口３８への入賞を球検知センサ４５（図４参照）で検出することにより行われ、入賞１個あたり所定個数（本実施の形態では１０個）の賞球を払出装置５９（図４参照）により払い出すようにしている。
【００６０】
また、前記球検知センサ４５により検出した入賞個数は、カウント手段であるカウンター６３（図４参照）により累積的にカウントされている。このカウンター６３が上限入賞球数である１０個をカウントすると前記シャッタ４０は閉鎖されるのであるが、閉鎖タイミングと遊技球の落下タイミングによっては、遊技球が上限入賞球数（１０個）を超えて大入賞口３８へ入賞する場合がある。この場合、本実施例ではこれを余剰入賞として、前記カウンター６３によりカウント可能としている。すなわち、本実施の形態に係るパチンコ遊技機１０では、１０個を超えて大入賞口３８へ入賞した遊技球を余剰入賞として別途記憶するのである。
【００６１】
なお、図３中、２０２はシャッタ軸、２０３は通常領域である通常入球口、２０７はシャッタ４０の裏面に形成した遊技球ガイドである。
【００６２】
（パチンコ遊技機１０の制御）
本実施の形態に係るパチンコ遊技機１０の制御回路を示すブロック図を図４に示す。
【００６３】
図示するように、制御部６１は、中央処理回路（以下、ＣＰＵと称する）６６と、インターフェイス回路群６２，７２と、ＲＯＭ６８、ＲＡＭ７０と、カウンター６３と、これらに接続し、前記ＣＰＵ６６にデータ信号又はアドレス信号を入出力する入出力バス６４とを備えている。
【００６４】
上記インターフェイス回路群６２には、前記発射ハンドル２６と、前記一時停止ボタン２６ａと、前記タッチセンサ２９を接続している。
【００６５】
また、インターフェイス回路群６２には、前記各入賞口に設けた第１〜第３の球検知センサ４２，４３，４５を接続しており、第１の球検知センサ４２は、遊技球が前記始動口４４を通過したときに、第２の球検知センサ４３は、遊技球が、一般入賞口５０，５４（５４ａ，５４ｂ）、第２の一般入賞口５６、及び排出口５３を通過したときに、第３の球検知センサ４５は、遊技球が、大入賞口３８を通過したときに検出信号をインターフェイス回路群６２にそれぞれ供給する。
【００６６】
さらに、インターフェイス回路群６２には、球通過検出器５５（左側球通過検出器５５ａ，右側球通過検出器５５ｂ）を接続しており、同球通過検出器５５は遊技球が通過したことを検出したときに検出信号をインターフェイス回路群６２に供給する。
【００６７】
前記カウンター６３は、前記第３の球検知センサ４５の検出結果を大入賞口３８への入賞数としてカウントする。
【００６８】
前記ＲＯＭ６８は、パチンコ遊技機１０の遊技全体の流れを制御する遊技プログラムを含む制御プログラムや、個々の識別情報やそれらの組合せや必要な画像データ等を記憶している。
【００６９】
本実施の形態における遊技プログラムは、特定の入球口である始動口４４に入球したことを受けて当選かはずれかを所定の抽選確率で抽選する内部抽選実行機能と、この内部抽選実行機能による抽選結果に基づいて、複数の識別情報を変動表示及び停止表示する可変表示ゲームを表示装置３２上に実行させる可変表示ゲーム実行機能と、可変表示ゲーム実行中に、可変入賞装置としての前記大入賞口３８を、予め定められた上限数（１０個）の遊技球が入賞するまで若しくは所定時間（２９秒）経過するまで開放状態を維持し、前記上限数の入賞を検知するか若しくは所定時間経過すると閉状態に変化させる可変入賞装置制御機能と、この可変入賞装置（大入賞口３８）に対して、前記上限数の遊技球を超えて入賞がなされたことを検知する余剰入賞検知機能と、検知した余剰入賞数を累計的にカウントするカウント機能と、前記余剰入賞の累計に応じた数の賞球を一括して払い出す賞球一括払出機能とをコンピュータに実現するためのプログラムである。
【００７０】
かかるプログラムを実行することにより、遊技球が始動口４４に入賞したことを受けて当選かはずれかを内部抽選し、抽選結果に基づいて前記識別情報群が表示装置３２上で変動表示及び停止表示され、抽選結果が当選の場合、停止表示されたときの各識別情報の組合せが特定組合せとなるとともに、特別遊技状態に移行する可変表示ゲームを伴うパチンコ遊技を楽しむことができる。しかも、前記特別遊技状態においては、前記大当たり入賞装置Ｍの大入賞口３８への入賞を、前記第３の球検知センサ４５が検出し、この検出結果をカウンター６３がカウントして入賞数として累積し、前記第３の球検知センサ４５が１０球を超えて入賞数を検出すると、この１０球を超えた数を余剰入賞として前記カウンター６３がカウントする。そして、前記ＣＰＵ６６は、大当たり遊技状態が終了したタイミングで前記払出装置５９に、余剰入賞の累計数に応じた賞球を払い出すように命令する。このとき、前記払出装置５９は一括払出手段として機能することになる。
【００７１】
このようにして、遊技者は一挙に払い出される賞球を目の当たりにすることにより余剰入賞のメリットを直接的に実感することができるとともに、余剰入賞させた自分の遊技技量に対しても満足感を覚え、遊技への意欲がさらに高まるのである。
【００７２】
したがって、本実施の形態におけるパチンコ遊技機１０では、単調になりがちなパチンコ遊技に技術介入性が生じ、特に、大当たり遊技状態では単に遊技球を発射させるだけの機械任せになりがちな遊技に新たな興趣が付加されて、遊技の面白さを向上させることができる。
【００７３】
また、ＲＯＭ６８は、前記表示装置３２において可変表示ゲームが実行される際に、変動表示や停止表示される識別情報の画像データ、演出画面として表示される画面画像としてのキャラクタを示すキャラクタ画像データ、表示装置３２の背景を構成する背景画像データ、及び動画映像画像データ、並びに遊技に用いる音データ、前記制御プログラムを実行するための初期データや、前記装飾ランプ３６の点滅動作パターンと、これらを制御するプログラム等を記憶している。
【００７４】
さらに、ＲＯＭ６８は、通常大当たりと確変大当たりとを発生させる抽選を行うために必要な確率テーブルや当該確率テーブルを用いて抽選を行うためのプログラムなどを記憶している。ここで、通常大当たりとは、遊技者に有利な特別遊技状態である大当たり遊技状態が終了すると、直ちに通常遊技に戻る大当たりであり、確変大当たりとは、前記大当たり遊技状態へ移行した後、引き続きこの大当たり遊技状態へ高確率で再度移行可能な大当たりをいう。
【００７５】
一方、前記ＲＡＭ７０は、上述した各プログラムで使用するフラグや変数の値等を記憶している。すなわち、ＣＰＵ６６による演算結果や遊技の履歴を示す累積リーチデータ、累積変動数、可変表示ゲーム実行中に前記カウンター６３によりカウントした余剰入賞数や累積大当たり回数などを記憶している。
【００７６】
そして、制御部６１内のＣＰＵ６６は、前記ＲＯＭ６８から所定のプログラムを呼び出して実行することにより演算処理を行い、この演算処理の結果に基づいて各種の制御を行う。
【００７７】
特に、本実施の形態では、前述したように、遊技球が前記始動口４４に入賞したことを受けて当選かはずれかを所定の抽選確率で抽選するとともに、抽選結果に応じて識別情報群を変動表示及び停止表示させ、さらに、抽選結果が当選の場合は、前述した特定組合わせでの停止表示態様となるように制御し、大当たり遊技状態においては、各ラウンドに発生した余剰入賞の累計数に応じた賞球を、大当たり遊技状態が終了した後一挙に払い出すように制御している。このように、ＣＰＵ６６は、可変表示ゲームに関する情報を読み出して、表示装置３２における表示態様及び払出装置５９を制御している。
【００７８】
また、前記インターフェイス回路群７２には、表示装置３２、副表示装置５２、スピーカ４６、発射ハンドル２６用のソレノイド２８、保留ランプ３４及び装飾ランプ３６、さらには可動片５８（５８ａ,５８ｂ）やシャッタ４０を駆動するソレノイド４８，５７，２０５、及び払出装置５９を接続しており、ＣＰＵ６６における演算処理の結果に応じて上述した各装置類それぞれを制御すべく駆動信号や駆動電力を供給する。
【００７９】
なお、前記表示装置３２は、変動図柄表示部と演出画面表示部とからなり、ＣＰＵ６６の制御によりこれらの２つの表示部に表示される画面の双方を合成して表示する。
【００８０】
また、保留ランプ３４は、可変表示ゲーム実行中に始動口４４に入賞した保留球数を表示するもので、識別情報群を変動表示させるに有効な回数が示される。また、払出装置５９は、遊技球の入賞に応じて上皿２０又は下皿２２に予め定められた数の遊技球を払い出すものであり、本実施の形態では、前述したように一括払出手段としても機能している。
【００８１】
本実施の形態では、上述したＣＰＵ６６などからなる演算処理装置により制御部６１が構成され、この制御部６１により、大当たり決定手段、画像表示制御手段、及びカウント手段がが構成される。また、この制御部６１と前記第３の球検知センサ４５とにより余剰入賞検知手段が、さらに制御部６１と払出装置５９とにより一括払出手段が構成されている。
【００８２】
なお、本実施の形態ではＣＰＵ６６などからなる演算処理装置を１つとしているが、必ずしも１つである必要はなく、メインの演算処理装置としての主制御部と、画像表示を司るサブの演算処理装置としての副制御部を含む構成とすることもできる。また、上記したＲＯＭ６８やＲＡＭ７０も、複数個備える構成であっても構わない。
【００８３】
（パチンコ遊技機１０の動作）
本実施の形態に係るパチンコ遊技機１０は上述してきた構成となっており、その動作を以下に説明する。なお、以下の説明において、パチンコ遊技機１０は起動しており、上述したＣＰＵ６６において用いられる変数は所定の値に初期化され、定常動作しているものとする。
【００８４】
まず、パチンコ遊技機１０は、パチンコ遊技を制御するパチンコ遊技プログラムを実行し、かかるプログラムから所定のタイミングで図５に示す遊技球検出ルーチンを呼び出して実行するとともに、図８に示す本発明の要旨ともなる一括払い出し処理を含む大当たり実行処理ルーチンを呼び出して実行し、大当たり遊技状態実行中に発生した余剰入賞に対する賞球を、大当たり遊技状態終了後、一括して払い出すようにしている。
【００８５】
図５に示すように、遊技球検出ルーチンでは、最初に入賞口（一般入賞口５０，５４ａ，５４ｂ並びに第２の一般入賞口５６ａ〜５６ｄ）に遊技球が入ったか否かを検出する（ステップＳ１１）。
【００８６】
ステップＳ１１において、上記入賞口に遊技球が入ったと判別したときには、入賞口の種類に応じて予め定められた数の遊技球を払い出す処理を実行する（ステップＳ１２）。
【００８７】
次に、始動口４４に遊技球が入ったか否かを判断する（ステップＳ１３）。このステップＳ１３において、始動口４４に遊技球が入ったと判別したときには内部抽選実行処理（ステップＳ１４）を実行し、次いで可変表示ゲームを実行する。ステップＳ１４における内部抽選実行処理では、「通常大当たり」、「確変大当たり」及び「はずれ」のいずれか１つの結果を発生させる処理を行うものである。
【００８８】
さらに、球通過検出器５５ａ,５５ｂを遊技球が通過したか否かを判断する（ステップＳ１６）。球通過検出器５５ａ,５５ｂを遊技球が通過したと判別したときには、普通図柄を変動表示させる処理を実行する（ステップＳ１７）。
【００８９】
次に、上述したステップＳ１４において呼び出されて実行される内部抽選実行処理を行うサブルーチンを図６に示す。
【００９０】
なお、以下の説明において、変動図柄とは、表示装置３２に表示される識別情報のうちで変動表示状態にある図柄を指し、停止図柄とは、この変動表示された変動図柄が最終的に停止したときに表示される図柄を指すものとする。
【００９１】
上述した抽選実行処理が開始されると、まず、ＣＰＵ６６の演算処理による内部抽選処理を実行する（ステップＳ１００）。すなわち、ＣＰＵ６６は、前記ＲＯＭ６８に記憶された内部抽選に用いられる確率テーブルをＲＡＭ７０に設定するとともに、乱数のサンプリングを行う。
【００９２】
なお、確率テーブルをＲＡＭ７０に設定する処理は、ステップＳ１００を実行するたびに行う必要はなく、常にＲＡＭ７０に設定しておいてもよい。また、ＲＯＭ６８に内部抽選に用いられる確率テーブルを複数記憶させておき、必要に応じて異なる確率テーブルをＲＡＭ７０に設定することとして、通常大当たりを発生させる確率、確変（特別）大当たりを発生させる確率、及び、はずれを発生させる確率を変更させることもできる。
【００９３】
次に、「通常大当たり」、「確変大当たり」及び「はずれ」のうち、どの結果が得られたかについて判断する（ステップＳ１０１）。
【００９４】
ステップＳ１０１において、はずれの抽選結果が得られたと判断した場合、ＣＰＵ６６は、はずれに対応する抽選データをＲＡＭ７０に記憶する（ステップＳ１０２）。このとき、はずれが発生したことになる。なお、この抽選データは可変表示ゲームを実行する際に用いられるデータであり、ＣＰＵ６６は、当該抽選データに基づき、可変表示ゲーム処理ルーチンにおいて、変動図柄を所定の組合せで停止表示させる。
【００９５】
ステップＳ１０１において、通常大当たりの結果が得られたと判断した場合、ＣＰＵ６６は、通常大当たりに対応する抽選データなどをＲＡＭ７０に記憶し（ステップＳ１０３）、さらに、通常大当たり情報を記憶する（ステップＳ１０４）。このとき、通常大当たりが発生したことになる。
【００９６】
また、ステップＳ１０１において、確変大当たりの結果が得られたと判断した場合、ＣＰＵ６６は、確変大当たりに対応する抽選データなどをＲＡＭ７０に記憶し（ステップＳ１０７）、さらに、確変大当たり情報を記憶する（ステップＳ１０８）。このとき、確変大当たりが発生したことになる。
【００９７】
次いで、大当たり遊技状態が現在発生しているか否かを判断し（ステップＳ１１０）、大当たり遊技状態が発生していると判断した場合、本サブルーチンを終了する。
【００９８】
一方、ステップＳ１１０において、大当たり遊技状態が発生していないと判断した場合、進行（表示）中の可変表示ゲームが存在するか否か判断する（ステップＳ１１１）。進行（表示）中の可変表示ゲームとは、現在、表示装置３２に表示され、遊技者が見ることが可能な状態にあり、変動図柄が停止表示される前の可変表示ゲームである。すなわち、進行（表示）中の可変表示ゲームが存在するということは、既に、１つの遊技球が始動口４４に入り、後述する可変表示ゲーム処理ルーチンが実行されているということである。
【００９９】
ステップＳ１１１において、進行（表示）中の可変表示ゲームが存在しないと判断した場合、可変表示ゲームを実行する（ステップＳ１１２）。一方、進行（表示）の可変表示ゲームが存在すると判断した場合、本サブルーチンを終了する。
【０１００】
次に、図６に示すステップＳ１１２において呼び出されて実行される可変表示ゲーム処理を行うサブルーチンについて、図７を用いて説明する。本サブルーチンが呼び出されることにより、表示装置３２において表示されていた固定画面を通常画面へと切り替え、可変表示ゲームを開始する。なお、固定画面とは、表示装置３２において実行される可変表示ゲームは実行されておらず、パチンコ遊技機１０においてパチンコ遊技のみが進行している際に表示装置３２に表示される画面をいう。また、通常画面とは、表示装置３２において可変表示ゲームが開始されて表示装置３２に表示される図柄（識別情報）が変動表示されてから、可変表示ゲームがリーチとなったり大当たりとなったりしたときの状態に至るまでのあいだに、表示装置３２に表示される演出画面をいう。
【０１０１】
ここで、可変表示ゲームは、複数の識別情報の変動表示が開始されてから停止表示されるまでを１回とするゲームである。本実施の形態に係るパチンコ遊技機１０において予め設定されている識別情報は、「０」、「２」、…、「９」からなる１０個の算用数字からなる図柄を１つの組として、これらの１０個の図柄を表示装置３２に順次表示し、その図柄が移動するように表示しつつ、図柄自身が変化するように変動表示する。
【０１０２】
例えば、表示装置３２において、図柄の「１」を表示装置３２の上から下へスクロールするように表示した後、図柄の「２」を上から下へスクロールするように表示し、続いて図柄の「３」を同様に上から下へスクロールするように表示するのである。そして、図柄の「０」から図柄の「９」までをこのような態様で表示した後、再び図柄の「０」をスクロールするように表示し、同様の表示を順次繰り返すのである。表示装置３２においてこのように図柄を表示することにより、「０」から「１」へ、「１」から「２」へと、また「２」から「３」へと、図柄がスクロールされながら順次変化して「９」まで表示され、次に再び「０」が表示されることとなるのである。なお、上述した図柄の組（識別情報群）は、スロットマシンにおいて用いられる１本のリールに表示された図柄の組に対応する概念である。
【０１０３】
さらに、可変表示ゲームが表示装置３２において実行されるときには、複数の組からなる識別情報群の各々に属する図柄を表示する。例えば、３つの識別情報群に属する図柄の各々を横方向に配列させて表示することとした場合には、１つの識別情報群に属する図柄は表示装置３２の左側に表示され、他の識別情報群に属する図柄は表示装置３２の中央に表示され、残りの識別情報群に属する図柄は表示装置３２の右側に表示される。
【０１０４】
このように識別情報である図柄を表示することにより、表示部である表示装置３２には複数の識別情報が表示されることとなる。なお、可変表示ゲームが実行される際における組の数は、３つに限られることはなく、３以外の複数個の識別情報群（組）に属する図柄を表示装置３２に表示することとしてもよい。
【０１０５】
さらに、１つの識別情報群に属する図柄について、複数個の図柄を表示することとしてもよく、例えば、１つの識別情報群に属する３つの図柄を同時に変動表示するように表示することとし、３つの識別情報群について表示することとした場合には、表示装置３２には、合計９個の図柄が変動表示されることとなる。
【０１０６】
そして、複数の識別情報群に属する図柄を変動表示した後、変動表示されていた全ての図柄を所定のタイミングで停止表示した際に、これらの図柄の組合せが所定の組合せに合致して停止表示されたときには、遊技者から見れば可変表示ゲームが「大当たり」に当選したことになり、大当たり遊技状態が発生し、遊技者に対して有利な状態の提供が行われる。
【０１０７】
前述した内部抽選処理によって、ＣＰＵ６６の演算処理による内部抽選処理を実行し、上述したステップＳ１０２、Ｓ１０３またはＳ１０７においてＲＡＭ７０に記憶した抽選データに基づいて、変動表示されている図柄を全て停止表示させたときの図柄の組合せを予め決定し、可変表示ゲームが開始されると、図７に示すように、抽選データを更新（減少）させる（ステップＳ２０１）。すなわち、ＣＰＵ６６は、ＲＡＭ７０に記憶された抽選データの中から、今回の可変表示ゲーム処理に使用する抽選データを可変表示ゲーム処理領域に呼び出し、これまで抽選データが記憶されていた領域からは当該抽選データを消去する処理を行う。
【０１０８】
次に、選択された背景画像の画面構成情報がＲＡＭ７０に生成される（ステップＳ２０２）。すなわち、ＣＰＵ６６によって、内部抽選処理の結果や、可変表示ゲームの進行状況等に応じて、背景画像を選択するプログラムがＲＯＭ６８から呼び出され実行される。上記背景画像としては、特に限定されるものではなく、可変表示ゲームの進行状況や、上記内部抽選処理の結果に基づいて、ＣＰＵ６６によって、適宜選択される。
【０１０９】
次に、選択されたキャラクタ画像の画面構成情報がＲＡＭ７０に生成される（ステップＳ２０３）。すなわち、上記プログラムの実行結果に基づいて、ＣＰＵ６６により選択されたキャラクタ画像の画面構成情報が、ＲＡＭ７０に生成される。このとき、例えば、１／６０秒や、１／３０秒等毎の一定間隔の周期（フレームスパン）で、キャラクタ画像の先頭位置が所定の移動量分ずれるように制御することにより、キャラクタ画像に動きを与えて表示させることができる。
【０１１０】
次いで、識別情報である変動図柄の画面構成情報が、上記プログラムの実行結果に基づいて、ＣＰＵ６６によって、ＲＡＭ７０に生成される（ステップＳ２０４）。
【０１１１】
上記変動図柄を構成する各図柄となる画像の画面構成情報は、上述したプログラムに基づいて、ＣＰＵ６６により生成される。また、各変動図柄となる画像が、所定の順序で順次生成されるように制御して、変動図柄の変動表示を行うことができる。さらに、フレームスパンや、画面構成情報の読み出しの先頭位置等を調整することによって、変動図柄の変動速度を制御することができるため、背景画像において、展開されている物語等に応じて、変動図柄の変動を滑らかにさせ、背景画像と、変動図柄との融合を図ることも可能である。
【０１１２】
次に、１つの変動図柄を停止表示させるタイミングであるか否かを判断する（ステップＳ２０５）。すなわち、複数、例えば、三つの組（識別情報群）のうち、１つの組に属する図柄を停止表示させるタイミングであるか否かを判断する。
【０１１３】
変動図柄を停止表示させるタイミングであると判断したときには、ＣＰＵ６６によって、１つの変動図柄を停止表示させる態様で変動図柄を表す変動図柄画像が選択され、該変動図柄画像の画面構成情報がＲＡＭ７０に生成される（ステップＳ２０６）。
【０１１４】
次いで、ステップＳ２０２〜２０７において、ＲＡＭ７０に生成された画面構成情報に基づいて、ＣＰＵ６６によって、ＲＯＭ６８から、上記画面構成情報に対応する各画像データが読み出される。読み出された各画像データは、その後、上記画面構成情報内の表示される優先順位や、位置等に関する情報によって、表示装置３２に表示される画像データとされた後、表示装置３２に送信されて表示される（ステップＳ２０７）。上述したステップＳ２０２〜Ｓ２０７の処理は、後述するステップＳ２０８において複数の識別情報群に属する図柄の全てが停止表示されたと判別されるまで繰り返し実行される。このように処理を繰り返し実行することにより、所定の態様でスクロールするように図柄を変動表示することができ、また、キャラクタ画像も所定の動作をするように表示することができる。
【０１１５】
ステップＳ２０７の処理を実行した後、複数の組に属する図柄の全てが停止表示されたか否かを判断する（ステップＳ２０８）。
【０１１６】
複数の識別情報群に属する図柄の全てが停止表示されていないと判断したときには、処理をステップＳ２０２に戻す。一方、複数の識別情報群に属する図柄の全てが停止表示されたと判断したときには、ＲＡＭ７０に記憶された通常大当たり情報若しくは確変大当たり情報が存在するか否かを判断する（ステップＳ２０９）。
【０１１７】
大当たり情報が存在すると判断した場合、大当たり実行処理を行い（ステップＳ２１０）、大当たり遊技状態を発生させ、遊技者に対して有利な状態の提供を行う。
【０１１８】
一方、ＲＡＭ７０に記憶された大当たり情報が存在しないと判断した場合、ＲＡＭ７０に記憶された抽選データが存在するか否かを判断する（ステップＳ２１１）。ＲＡＭ７０に記憶された抽選データが存在しないと判断した場合、待機中の可変表示ゲームは存在しないことになるので、本サブルーチンを終了する。
【０１１９】
一方、ステップＳ２１１において、ＲＡＭ７０に記憶された抽選データが存在すると判断した場合、待機中の可変表示ゲームが存在することになるので、ＲＡＭ７０に記憶された抽選データのうち、最も古い抽選データを読み出し（ステップＳ２１２）、処理をステップＳ２０１に戻す。その後、ＣＰＵ６６は、読み出した抽選データに基づいて、ステップＳ２０１〜Ｓ２０９の処理を繰り返し実行することになる。
【０１２０】
前記大当たり実行処理（ステップＳ２１０）において実行される大当たり実行処理ルーチンについて、図８を用いて説明する。なお、以下の説明では、大当たり遊技状態において断続的に１５回の大当たり遊技が提供されることとする。また、当該大当たり遊技は、大入賞口３８が開放状態となってから、当該大入賞口３８に１０球の遊技球が入るまで、又は、所定の時間（２９秒）が経過するまでを１回とする遊技である。さらに、１回の大当たり遊技を、前述したように１ラウンドとする。また、「通常の大当たり遊技状態となる通常大当たり」と「確率変動状態での大当たり遊技状態となる確変大当たり」とでは異なる点がほとんどないため、区別しないで説明する。
【０１２１】
この大当り実行処理ルーチンにおいては、まず、大当たり遊技のラウンド回数であるｎをｎ＝１に設定する（ステップＳ３０１）。
【０１２２】
すなわち、ＣＰＵ６６は、ＲＡＭ７０に設けられた大当たり遊技のラウンド回数を記憶するテーブル（ラウンド数記憶テーブル）にｎ＝１であることを記憶させる。
【０１２３】
次いで、大入賞口３８が開放状態となるタイミングであるか否かを判断する（ステップＳ３０２）。
【０１２４】
上記大入賞口３８が開放状態となるタイミングであると判断したときは、シャッタ４０を開方向へ駆動させて大入賞口３８を開放する（ステップＳ３０３）。
【０１２５】
すなわち、ＣＰＵ６６は、インターフェイス回路群７２を介して、ソレノイド４８に駆動信号を供給することによりシャッタ４０を前方へ傾動させて大入賞口３８を開放状態とする。これにより、遊技者が大入賞口３８へ遊技球を入れることが可能となる。
【０１２６】
一方、上記大入賞口３８が開放状態となるタイミングでないと判断したときは、処理をステップＳ３０２に戻す。
【０１２７】
次に、大入賞口３８に遊技球が入ったか否かを判断する（ステップＳ３０４）。遊技球が大入賞口３８に入ったか否かは、本実施の形態では大入賞口３８に設けられた前記第３の球検知センサ４５により判断される。
【０１２８】
そして、大入賞口３８に設けられた第３の球検知センサ４５により遊技球が検出された際には、検出信号をインターフェイス回路群６２に供給する。この検出信号を受け取ったＣＰＵ６６は、カウンター６３を駆動させて球数をカウントするとともに、カウント結果をＲＡＭ７０の所定テーブル（大入賞口遊技球記憶テーブル）に遊技球の入賞数として記憶させ（ステップＳ３０５）、同時に前記第３の球検知センサ４５からの検出信号ごとに払出装置５９に制御信号を送信して払出装置５９を駆動させ、予め定められた数（１０個）の遊技球を払い出す処理を実行する（ステップＳ３０６）。
【０１２９】
ステップＳ３０４において、大入賞口３８に遊技球が入っていないと判断した場合、又は、ステップＳ３０６において遊技球を払い出す処理を実行した場合には、次に、大入賞口３８に上限数（１０個）の遊技球が入ったか否かを判断する（ステップＳ３０７）。すなわち、ＣＰＵ６６は、大入賞口遊技球記憶テーブルに記憶された遊技球の数とＲＡＭ７０の別の領域に記憶された上限入賞数（１０球）とを比較し、大入賞口３８に入った遊技球が上限入賞数（１０球）となっているか否かを判断する。
【０１３０】
大入賞口３８に上限数の遊技球が入っていないと判断したときは、大入賞口３８が開放状態となってから所定の時間（２９秒）が経過したか否かを判断する（ステップＳ３１０）。すなわち、ＣＰＵ６６は、ステップＳ３０２から開始した経過時間のカウントが、所定の時間に達したか否かについて判断する。
【０１３１】
大入賞口３８が開放状態となってから所定の時間が経過していないと判断したときは、処理をステップＳ３０４に戻す。
【０１３２】
一方、ステップＳ３０７において、大入賞口３８に上限数の遊技球が入ったと判断したときは、ＣＰＵ６６は大入賞口３８のシャッタ４０を閉鎖する制御信号をソレノイド４８に出力するが、この出力と実際にシャッタ４０が閉方向へ傾動する間に遊技球が大入賞口３８に飛び込むことがある。これを第３の球検知センサ４５は余剰入賞として検出する。この検出があるかどうかを判断し（ステップＳ３０８）、余剰入賞があると判断した場合は、その検出結果を余剰入賞数としてカウンター６３によりカウントするとともに、ＲＡＭ７０に記憶する（ステップＳ３０９）。
【０１３３】
また、ステップＳ３０８で余剰入賞がないと判断した場合、及びステップＳ３１０において所定の時間が経過したと判断したときにシャッタ４０を駆動して大入賞口３８を閉鎖する（ステップＳ３１１）。
【０１３４】
このように大入賞口３８の開放時間は、大入賞口３８に入った遊技球の数か、時間かのいずれかの要素により判断され、大入賞口３８に上限数の遊技球が入れば、所定の時間に達しなくとも大入賞口３８は閉鎖され、一方、大入賞口３８に入った遊技球の数が上限数に達していなくても、所定の時間が経過すれば大入賞口３８は閉鎖されるのである。
【０１３５】
次に、大当たり遊技の回数であるｎに１を加算して、ｎ＝ｎ＋１とするように設定する（ステップＳ３１２）。すなわち、ＣＰＵ６６は、ＲＡＭ７０に設けられたラウンド数記憶テーブルにｎ＝ｎ＋１となるようにラウンド数を記憶させる。
【０１３６】
そして、ラウンド数ｎが１４以下であるか否かを判断する（ステップＳ３１３）。すなわち、ＣＰＵ６６は、まず、ラウンド数記憶テーブルに記憶された大当たり遊技の回数を読み出し、この回数とＲＡＭ７０の別の領域に記憶されたｎ＝１４のデータとを比較し、大当たり遊技の回数ｎがｎ≦１４であるか否かを判断する。大当たり遊技の回数ｎがｎ≦１４であると判断したときには、処理をステップＳ３０２に戻す。従って、本サブルーチンでは、ｎが１４を超えるまで、繰り返し大当たり遊技が行われることとなる。
【０１３７】
そして、大当たり遊技の回数であるｎが１４を超えるとき、すなわちラウンド数の最大値である１５回に達した場合は、大当たり情報を更新（減少）させる（ステップＳ３１４）。すなわち、通常大当たりに基づく大当たり遊技状態が発生している場合（大当たり実行処理ルーチンが通常大当たりに基づいて実行されている場合）、ＲＡＭ７０に記憶された通常大当たり情報を削除する。一方、特別大当たりに基づく大当たり遊技状態が発生している場合（大当たり実行処理ルーチンが特別大当たりに基づいて実行されている場合）、ＲＡＭ７０に記憶された特別大当たり情報を１つ削除する。
【０１３８】
次いで、ＣＰＵ６６は、ステップＳ３０９で記憶された各ラウンドごとの余剰入賞数の累計を読み出して、この余剰入賞の累計数に応じた賞球数を演算して払出装置５９に払出信号を出力し、大当たり遊技中に発生した余剰入賞数の累計に応じた賞球を一括して払い出し（ステップＳ３１５）、その後、本サブルーチンを終了する。
【０１３９】
また、上述してきた大当たり実行処理ルーチンが実行されている間、表示装置３２では、大当たり遊技状態が発生していることを遊技者に認識させるとともに、遊技を盛り上げるための演出画像が表示される。
【０１４０】
なお、本サブルーチンでは、ラウンド回数の上限を１５回としてｎの最大数を１４としたが、ｎは自然数であれば特に限定されず、ラウンド回数の上限に応じて適宜設定してよい。
【０１４１】
上述の大当たり実行処理がなされるとき、表示装置３２上では、大当たり遊技状態に応じた演出画像が表示される。すなわち、大当たり遊技状態特有の演出表示がなされ、各ラウンド中、所定のキャラクタなどを動画表示してラウンド演出表示を実行し、特別遊技状態であることを華やかに演出するとともに、このラウンド演出表示においては、現在実行中のラウンドが何回目であるか、また現在実行中のラウンドにおける大入賞口３８への入賞数が何個であるかなどの情報を表示するようにしている。
【０１４２】
本実施の形態では、図９（ａ）に示すように、演出画像として魚釣りの情景を示す画像を用いており、この表示画面中に、大当たりを示す識別情報の組合せが「７７７」と、第５ラウンドであることを示すラウンド表示としての「Ｒ５」と、この第５ラウンド中に大入賞口３８の特別領域に少なくとも遊技球が１個入賞し、第６ラウンドが保証されていることを示す「Ｖ」マークとが表示されている。また、ラウンド中に大入賞口３８に入賞した遊技球の数が、魚釣りの演出図柄の一つである籠中における釣った「魚」として表されている。当然のことながら、入賞数は単に数字で表示してもよい。
【０１４３】
さらに、本実施の形態では、各ラウンドで発生した前記余剰入賞の数を、ラウンド演出表示中に表示するようにしている。ここでは、図９（ｂ）に示すように、新たに特別な籠が表示され、その中に「人魚」が入った状態で表示される。この「人魚」が余剰入賞であり、「人魚」の数によって余剰入賞数を示すことで、遊技者にとって視覚的に分かりやすく、かつ遊技が楽しくなる。勿論、この場合も余剰入賞数を数字表示して構わない。
【０１４４】
ここで、本実施の形態に係るパチンコ遊技機１０における実際の遊技状況を想定して、大当たり遊技状態中に大入賞口３８に余剰入賞が発生し、大当たり遊技状態終了後、余剰入賞の累計数に応じて賞球が一括して払い出されるまでについて、図８〜図１０を参照しながら簡単に説明する。
【０１４５】
大当たり遊技状態に移行すると、表示装置３２上には大当たり情報に基づいて、魚釣りの情景を示す演出画像が表示される。画面の右隅には現在のラウンド数と、大当たりを示す識別情報の組合せとが表示されている。そして、大入賞口３８へ入賞する度に、籠中の魚が一匹ずつ増える態様が表示される（図９（ａ））。また、入賞した遊技球の中で、少なくとも１個が大入賞口３８中の特別領域である特定入球口２０４（図３参照）に入球すると、次のラウンドの遊技が保証されることを示すＶマークが表示される。
【０１４６】
入賞上限数である１０個目が大入賞口３８に入ると、大入賞口３８は閉鎖動作を開始するが、１０個目と同時に、あるいは大入賞口３８が完全に閉鎖される直前にあたかも駆け込みで入賞したかのような駆け込み入賞が発生した場合、これらの余剰入賞は、図９（ｂ）に示すように、画面上に新たに特別な籠が表示され、その中に入った「人魚」の数で表示される。この場合、３個の余剰入賞が発生したことが分かる。
【０１４７】
図９（ｂ）で示したものは、第５ラウンドにおける余剰入賞数であり、第１ラウンドから最終ラウンドまでに発生した余剰入賞の累計数は、図１０に示すように、大当たり遊技終了後に表示装置３２上に表示される。ここでは、余剰入賞の累計数が１０個の場合を示しており、本実施の形態では大当たり遊技の演出画像は消えた状態としているが、何らかの演出画像を伴なわせることが好ましい。
【０１４８】
そして、賞球１個につき１０個の賞球なので、余剰入賞数１０個に応じた賞球数、すなわち１０×１０＝１００個の賞球が一挙に払い出される。本実施の形態における払出態様としては、賞球１０個を単位として１０回連続して払い出すものであるが、大当たり遊技終了後に余剰入賞分のみを払い出すことで余剰入賞の累計に応じた賞球数が一括して払い出されるものとみなしてる。なお、当然ながら１０個を単位として連続して払い出すのではなく、賞球総数１００個ならば１００個を一括して払い出してもよい。
【０１４９】
この払い出しの際には、図１０に示すように、先ず、表示装置３２上に余剰入賞の総数が表示され、１０個ずつ払い出される度に数値が１ずつ減じられるカウントダウン表示するようにしている。
【０１５０】
したがって、遊技者は、余剰入賞によって得た利益について、視覚的に楽しみながら実感することが可能となる。
【図面の簡単な説明】
【０１５１】
【図１】第１の実施の形態に係るパチンコ遊技装置の概観を示す正面図である。
【図２】同パチンコ遊技装置の遊技盤面の拡大正面図である。
【図３】同パチンコ遊技装置の大当たり入賞装置を示す説明図である。
【図４】同パチンコ遊技装置の制御回路を示すブロック図である。
【図５】パチンコ遊技装置において実行される遊技球を検出する処理のサブルーチンを示すフローチャートである。
【図６】内部抽選実行処理のサブルーチンを示すフローチャートである。
【図７】可変表示ゲーム処理のサブルーチンを示すフローチャートである。
【図８】大当たり実行処理のサブルーチンを示すフローチャートである。
【図９】余剰入賞の表示態様を示す説明図である。
【図１０】余剰入賞に対応する賞球の払い出し時における表示画面を示す説明図である。
【符号の説明】
【０１５２】
Ｍ  大当たり入賞装置
１０  パチンコ遊技機
３８  大入賞口
４５  球検知センサ
５９  払出装置
６３  カウンター
【図１】
2005177291.tif 000003
【図２】
2005177291.tif 000004
【図３】
2005177291.tif 000005
【図４】
2005177291.tif 000006
【図５】
2005177291.tif 000007
【図６】
2005177291.tif 000008
【図７】
2005177291.tif 000009
【図８】
2005177291.tif 000010
【図９】
2005177291.tif 000011
【図１０】
2005177291.tif 000012